(57)【特許請求の範囲】
【請求項１】
輾圧板の後方に突出する操作ハンドルの下端に横軸挿通部を有し、この横軸挿通部の両端に該横軸挿通部の径よりも大きい外径の防振ゴムを配置し、前記防振ゴムの外側には、下端内面に前記防振ゴムの外側を包み込む凹部を有し、上端に前記ハンドルの両側面部に配置される支持部を突出した防振ゴムカップリングを設けて、前記横軸挿通部内に挿通した横軸に対し前記防振ゴムと防振ゴムカップリングとが前記ハンドルに一体に圧着された状態で回転可能なるように支持し、該横軸の両端を輾圧板の後部上面に突設した軸受けに軸着したことを特徴とするバイブロコンパクターの防振ハンドル。
【請求項２】
横軸挿通部内の横軸に対し防振ゴムと防振ゴムカップリングとが操作ハンドルに一体に圧着された状態で回転可能なるように支持する手段として、防振ゴムカップリング凹部と輾圧板後部上面に突設した軸受けとの間に皿バネを介装させた請求項１のバイブロコンパクターの防振ハンドル。
【請求項３】
操作ハンドル下端の横軸挿通部が横軸の振動の干渉を受けない充分に大きな内径の横筒からなる請求項１のバイブロコンパクターの防振ハンドル。
【請求項４】
防振ゴムカップリング内に配置される防振ゴムの内周面に内側に向かって内径が拡大するテーパー状の横軸貫通孔を有している請求項１のバイブロコンパクターの防振ハンドル。
【請求項５】
防振ゴムカップリングの上端に突出するハンドル両側面支持部の内側面にハンドル両側面と若干の間隙を隔てて配置される振動吸収ゴムを有している請求項１のバイブロコンパクターの防振ハンドル。
【発明の詳細な説明】
【０００１】
【発明の属する技術分野】
本発明は、道路路盤等を振動輾圧板により締固めるバイブロコンパクターの防振ハンドルの構造に関する。
【０００２】
【従来の技術】
バイブロコンパクターは輾圧板の後部に機体の操作ハンドルが突出されていて、この操作ハンドルの上端を作業員が保持しながら機体を操作するが、一般的にこの種の機体における操作ハンドルの下端は、輾圧板の振動が作業員が保持する操作ハンドルに直接伝播しないように、該ハンドルの下端における左右両面に夫々所定の幅をもった防振ゴムの内側面を取り付け、これらの防振ゴムの外側面を輾圧板の後部に設けた軸受けに接続することにより、輾圧板の振動がハンドルの下端両面に配置した左右の防振ゴムに吸収されてハンドルの上部にできるだけ伝わらないような構造となっている。
【０００３】
また、前記の操作ハンドルは、該ハンドルの背面下部における輾圧板との間に防振ゴムを介在させた角度調整ネジを備えていて、このネジの高さ位置を調整することで、機体に対するハンドルの突出角度が作業員の操作し易い位置に保持されるような構造となっている。
【０００４】
【発明が解決しようとする課題】
上記の従来形の防振ハンドルにおいては、ハンドルの下端における左右両面に夫々防振ゴムが配置されているので、確かに輾圧板の振動がこれらの防振ゴムにより吸収されてハンドル上部に伝わるのを防ぐことができるが、ハンドルの下端両面と輾圧板後部の軸受けとの間は弾性に富んだ防振ゴムだけを介して接続され、これらの防振ゴムは内側面がハンドルの下端両面と接続され、外側面が輾圧の軸受けと接続されていて、ハンドル下端と輾圧板の軸受けとは貫通する横軸のようなものにより連結されてはいないので、ハンドルの機体左右方向に対する剛性が低く、ハンドルの上端が左右に横振れし易いという問題があった。
【０００５】
ハンドルの機体左右方向に対する剛性が低く、ハンドルの上端が左右に横振れし易いということは、機体の操作に際し、作業員が保持したハンドルを左右に回動して接地した輾圧板の進行方向を変えようとするときに、ハンドルの回動幅が少ないとその動きが防振ゴムにより吸収されてしまうために、ハンドルの回動幅を大きくして、防振ゴムが最大に圧縮された状態にまでハンドルを回動しなければ輾圧板が望むべき方向へ回動しないことになり、機体の操作に大きな労力を必要とし、扱いにくいという弊害がある。
【０００６】
【課題を解決するための手段】
本発明は、上記のような従来におけるバイブロコンパクターの問題点に鑑み、ハンドルの下端における左右両面と輾圧板後部の軸受けとの間に夫々防振ゴムが介在されて輾圧板の振動がこれらの防振ゴムにより吸収されるが、ハンドルの下端と輾圧板後部の軸受けとが、ハンドルの上端が横振れを起こしにくい防振ゴムカップリングを介して接続することにより、ハンドルの左右方向への回動幅が小さい状態で輾圧板の進行方向を変えることのできる、操作性の容易な機体の提供を目的としたものである。
【０００７】
本発明に係るバイブロコンパクターの防振ハンドルはそのための具体的手段として、輾圧板の後方に突出する操作ハンドルの下端に横軸挿通部を有し、この横軸挿通部の両端に該横軸挿通部の径よりも大きい外径の防振ゴムを配置し、前記防振ゴムの外側には、下端内面に前記防振ゴムの外側を包み込む凹部を有し、上端に前記ハンドルの両側面部に配置される支持部を突出した防振ゴムカップリングを設けて、前記横軸挿通部内に挿通した横軸に対し前記防振ゴムと防振ゴムカップリングとが前記ハンドルに一体に圧着された状態で回転可能なるように支持し、該横軸の両端を輾圧板の後部上面に突設した軸受けに軸着したことを特徴とする。
【０００８】
操作ハンドルの下端の横軸挿通部内に挿通される横軸に対して、防振ゴムと防振ゴムカップリング凹部とを操作ハンドルと一体な状態で回転可能なるように支持する手段としては、防振ゴムカップリングと輾圧板後部の軸受けとの間に皿バネを介在させて、この皿バネの弾力により防振ゴムと防振ゴムカップリングとが操作ハンドルの下端両面に圧着される構造とすることが好ましい。
【０００９】
操作ハンドルの下端に設けられる横軸挿通部としては、横軸の振動の干渉を受けないような充分に大きな内径をもった横筒により構成することが好ましい。
【００１０】
また、防振ゴムカップリング内に配置される防振ゴムは、内周面に内側に向かって内径が拡大するテーパー状の横軸貫通孔を有していることが好ましい。
【００１１】
更に、防振ゴムカップリングは、上端に突出するハンドル両側面支持部の内側面にハンドル両側面と若干の間隙を隔てて配置される振動吸収ゴムを有していることが好ましい。
【００１２】
【発明の実施の形態】
【実施例】
次に、本発明に係るバイブロコンパクターの防振ハンドルの構成を図面に示す実施例により説明すると、図１は、機体の後部方向より見た操作ハンドル１の下端と、このハンドル下端部が横軸４を介して輾圧板２の後部上面に設けられた軸受け３に回転可能なるように接続される部分の構造を示す断面図であり、前記操作ハンドル１の上方には、図示しないスロットルバルブ、前後進切替えレバー等の機体の操縦に必要な装置が設けられている。
【００１３】
前記操作ハンドル１の後方側には、図２に示すように、前記操作ハンドル１の角度調整装置５が設けられている。このハンドル角度調整装置５は、輾圧板２の後部に固定した防振ゴム６から上端にノブ８を設けた螺杆７が斜め上方へ突出し、この螺杆７が前記操作ハンドル１の背面の下端上部に設けた雌ネジ部９と螺着されていて、前記ノブ８を介して螺杆７を回転することで前記操作ハンドル１が下端の前記横軸４を中心に所定の角度に保持されるようになっている。
【００１４】
図１に示す前記軸受け３と前記操作ハンドル１の下端との接続構造を更に詳しく説明すると、この軸受け３と操作ハンドル１との接続構造は、基本的には、操作ハンドル１の下端に対して両端が軸受け３に軸着される前記横軸４を水平に挿通するための横軸挿通部１０と、この横軸挿通部１０の両端に配置される左右一対の防振ゴム１１と、これらの防振ゴム１１の外側を覆う防振ゴムカップリング１２とから構成されている。
【００１５】
前記横軸挿通部１０内には前記横軸４が挿通されるが、この横軸挿通部１０は、両端を軸受け３に軸支された横軸４が輾圧板２からの振動を受けても、この横軸４の振動の干渉を受けることのないような充分に大きな内径と、操作ハンドル１の横幅と同じ長さをもった横筒１３により構成することが好ましく、更に、この横筒１３の両端には前記左右の防振ゴム１１の内側面と当接するフランジ１４が突設されるような構成からなっている。
【００１６】
また、前記横筒１３の両端におけるフランジ１４の外側には、該横筒１３の径よりも大きい外径をもった前記防振ゴム１１が前記横軸４に挿通されるようにして配置されている。これらの防振ゴム１１は内周面に内側に向かって内径が拡大するテーパー状の横軸貫通孔１５が設けられていると共に、内側面には前記フランジ１４と圧着されるプレート１６、外側面には前記防振ゴムカップリング１２の凹部１８と圧着されるプレート１７とを有している。
【００１７】
更に、前記防振ゴム１１の外側には、下端内面に該防振ゴム１１の外側を包み込むような内径をもった凹部１８を有し、上端に前記ハンドル１の両側面部に配置される支持部１９を突出した前記防振ゴムカップリング１２が、凹部１８に開設した遊孔２０に前記横軸４が挿通されるようにして配置されている。
【００１８】
前記防振ゴムカップリング１２の上端に突出する支持部１９は、内側における操作ハンドル１の両側面との対応面に板状の振動吸収ゴム２１が前記ハンドル両側面との間に若干の間隙が設けられるようにして取り付けられている。
【００１９】
上記のように、防振ゴム１１と防振ゴムカップリング１２とは横軸４に挿通されるが、更に、該横軸４には防振ゴムカップリング１２の外側に夫々皿バネ２２を挿通してから、該横軸４の両端を前記軸受け３の外側に突出支持させてナット２３により締め付け固定し、前記防振ゴムカップリング１２の外側と前記軸受け３の内側との間に介装された皿バネ２２の弾力により、防振ゴム１１と防振ゴムカップリング１２とが前記操作ハンドル１の両端面に圧着され、該ハンドル１と一体に横軸４を中心にして回動できるようになっている。
【００２０】
【発明の効果】
上記のように、本発明の防振ハンドルでは、操作ハンドル１の下端の横軸挿通部１０内に挿通される横軸４に、防振ゴム１１とこの防振ゴムの外側を包み込む凹部１８を設けた防振ゴムカップリング１２とを挿着してハンドル１の両側面に圧着させたので、防振ゴム１１と防振ゴムカップリング１２とが常にハンドル１と一体な状態で横軸４を中心に回動することができ、ハンドル後部の角度調整装置５によるハンドルの角度設定に対応できると共に、輾圧板２の振動をこれらの防振ゴム１１が吸収してハンドル上部への伝達を防ぐことができる。
【００２１】
また、ハンドル１の下端と輾圧板後部の軸受け３とが横軸４により軸着されていることと、防振ゴムカップリング１２の上部支持部１９がハンドル１の両側面に対応するように配置されていることにより、ハンドル１の機体左右方向に対する剛性を高めて、ハンドル上端が左右へ横振れしにくい構造とし、ハンドルによる機体の操作性を著しく良好にすることができる。
【００２２】
更に、横軸４が挿通する防振ゴム１１の内周面に、内側に向かって内径が拡大するテーパー状の横軸貫通孔１５を設けることによって、軸受け３と横軸４を介して伝えられる輾圧板２の振動が防振ゴム１１に伝えられる条件をできるだけ少なくすることができ、ハンドル１に対する振動を低減できると共に、防振ゴムカップリング１２の凹部１８が内側に包み込んだ防振ゴム１１の大きな変形を規制することにもなるのでハンドル１の剛性を高めることができ、適切な防振作用を発揮しつつ機体を操作し易い防振ハンドルを提供することができる。
【図面の簡単な説明】
【図１】バイブロコンパクターの後部方向より見た本発明に係る防振ハンドルの構成を示す断面図。
【図２】図１の部分の側面図。
【符号の説明】
１：操作ハンドル
２：輾圧板
３：軸受け
４：横軸
５：角度調整装置
６：防振ゴム
７：螺杆
８：ノブ
９：雌ネジ
１０：横軸挿通部
１１：防振ゴム
１２：防振ゴムカップリング
１３：横筒
１４：フランジ
１５：横軸貫通孔
１６，１７：プレート
１８：凹部
１９：支持部
２０：遊孔
２１：振動吸収ゴム
２２：皿バネ
２３：ナット
【図１】
0003626329.tif 000002
【図２】
0003626329.tif 000003